(57)【特許請求の範囲】
【請求項１】
対物レンズと、少なくとも一つの結像点を含んでいて該対物レンズと同軸の左右共通の一つの変倍光学系と、該変倍光学系の後方に配置されていて各々が開口絞りと結像レンズと接眼レンズを含む左右一対の観察光学系とを備え、上記一対の開口絞りによって決定される観察光軸が上記変倍光学系の光軸と異なったところを通るようになっている実体顕微鏡において、上記一対の開口絞りにより決定される視野中心像の瞳の外側を遮光する遮光部材が、少なくとも最高倍率設定時には、上記結像点よりも物体側に配置されるようにしたことを特徴とする実体顕微鏡。
【請求項２】
対物レンズと、少なくとも一つの結像点を含んでいて該対物レンズと同軸の左右共通の一つの変倍光学系と、該変倍光学系の後方に配置されていて各々が開口絞りと結像レンズと接眼レンズを含む左右一対の観察光学系とを備え、上記一対の開口絞りによって決定される観察光軸が上記変倍光学系の光軸と異なったところを通るようになっている実体顕微鏡において、上記一対の開口絞りにより決定される視野中心像の瞳の内側を遮光する遮光部材が、少なくとも最低倍率設定時には、上記結像点よりも物体側に配置されるようにしたことを特徴とする実体顕微鏡。
【請求項３】
前記遮光部材により瞳の面積が３０％以上減らされる倍率がある、ことを特徴とする請求項１又は２に記載の実体顕微鏡。
【請求項４】
前記変倍光学系から射出した光束を分割して複数の観察者によって観察することができるようにし、各観察像が前記各開口絞りによりケラレることがないようにしたことを特徴とする請求項３に記載の実体顕微鏡。
【請求項５】
各観察像の左右方向の明るさの最小と最大の比が１：４以内であることを特徴とする請求項４に記載の実体顕微鏡。
【請求項６】
入射光軸と前記変倍光学系の射出光軸とを近付けるため４回以上の反射面を設けたことを特徴とする請求項１又は２に記載の実体顕微鏡。
【請求項７】
前記変倍光学系がアフォーカル光学系であることを特徴とする、請求項６に記載の実体顕微鏡。
【請求項８】
前記変倍光学系が、アフォーカル変倍光学系と一回結像のアフォーカル光学系とで構成されていることを特徴とする請求項６に記載の実体顕微鏡。
【請求項９】
アフォーカル部分で光束を分割するように配置された光分割素子を含んでいることを特徴とする請求項８に記載の実体顕微鏡。
【発明の詳細な説明】
【０００１】
【発明の属する技術分野】
本発明は、対物レンズと、少なくとも一つの結像面を含んでいて対物レンズと同軸の左右共通の一つの変倍光学系と、変倍光学系の後方に配置されていて各々が開口絞りと結像レンズと接眼レンズを含む左右一対の観察光学系とを備え、開口絞りによって決定される観察光軸が変倍光学系の光軸と異なったところを通るようになっている実体顕微鏡に関する。
【０００２】
【従来の技術】
実体顕微鏡は、物体像を拡大して立体的な情報が得られることから、小さなものの組立てや各種の手術などに使用されている。そして、より難しい作業を可能にするため、複数人が像を同時に観察でき且つ自由な方向から観察できるような実体顕微鏡が望まれている。この要求に応じるため、従来、左右の目で見る夫々の像を作る光束を一つの変倍系を通すようにした実体顕微鏡が提案されており、これにより、変倍系の後方に設けられた左右光路用の開口絞りを変倍系の光軸の周りに回転させることにより、観察方向を自由に変えられるようになった。
【０００３】
【発明が解決しようとする課題】
しかしながら、この光学系には、変倍すると立体感が変化するという問題点があった。この問題点を解決するための方法が、特開平４−７６５１４号に開示されている。この方法では、変倍に従って立体感の補正を行う光学部材が設けられていて、この光学部材を変倍操作に従って動かすことにより、立体感の補正を行うというものであるが、倍率と立体感を連動させる機構は設計が難しく、製作が困難であるという問題があった。又、立体感調整のための機構は大きく、小型化し難いため物体と観察者の位置が離れ、作業しずらくなるという問題があった。
【０００４】
本発明は、従来の技術の有するこのような問題点に鑑みてなされたものであり、その目的とするところは、変倍による立体感の変化が小さく、構成が簡単で且つ作業性の良い実体顕微鏡を提供しようとするものである。
【０００５】
【課題を解決するための手段】
上記目的を達成するために、本発明による実体顕微鏡は、対物レンズと、少なくとも一つの結像点を含んでいて対物レンズと同軸の左右共通の一つの変倍光学系と、この変倍光学系の後方に配置されていて各々が開口絞りと結像レンズと接眼レンズを含む左右一対の観察光学系とを備え、上記一対の開口絞りによって決定される観察光軸が変倍光学系の光軸と異なったところを通るようになっている実体顕微鏡において、上記一対の開口絞りにより決定される視野中心像の瞳の外側を遮光する遮光部材が、少なくとも最高倍率設定時には、上記結像点よりも物体側に配置されるようにしたことを特徴としている。
【０００６】
又、本発明によれば、対物レンズと、少なくとも一つの結像点を含んでいて対物レンズと同軸の左右共通の一つの変倍光学系と、この変倍光学系の後方に配置されていて各々が開口絞りと結像レンズと接眼レンズを含む左右一対の観察光学系とを備え、上記一対の開口絞りによって決定される観察光軸が上記変倍光学系の光軸と異なったところを通るようになっている実体顕微鏡において、上記一対の開口絞りにより決定される視野中心像の瞳の内側を遮光する遮光部材が、少なくとも最低倍率設定時には、上記結像点よりも物体側に配置されるようにしたことを特徴としている。
又、本発明によれば、前記遮光部材により瞳の面積が３０％以上減らされる倍率がある、ことを特徴としている。
又、本発明によれば、前記変倍光学系から射出した光束を分割して複数の観察者によって観察することができるようにし、各観察像が前記各開口絞りによりケラレることがないようにしたことを特徴としている。
又、本発明によれば、各観察像の左右方向の明るさの最小と最大の比が１：４以内であることを特徴としている。
又、本発明によれば、入射光軸と前記変倍光学系の射出光軸とを近付けるため４回以上の反射面を設けたことを特徴としている。
又、本発明によれば、前記変倍光学系がアフォーカル光学系であることを特徴としている。
又、本発明によれば、前記変倍光学系が、アフォーカル変倍光学系と一回結像のアフォーカル光学系とで構成されていることを特徴としている。
更に、本発明によれば、アフォーカル部分で光束を分割するように配置された光分割素子を含んでいることを特徴としている。
【０００７】
【発明の実施の形態】
実体顕微鏡における立体感は、左右の入射瞳位置で決まる物体面での左右光軸のなす角（以下、内向角という）で決まる。内向角は、左右の入射瞳の中心と物体の中心を結んだ線のなす角度で表わすことができる。即ち、入射瞳が円形であれば、その中心間の距離で表わすことができる。又、瞳がケラレた場合には、左右の瞳を結ぶ線分と瞳との交点の中点が瞳の中心となる。尚、以下、左右の光軸に垂直な平面内で両光軸を結ぶ方向を左右方向、この左右方向に垂直な方向を上下方向と呼んで説明する。左右の入射瞳を左右方向の外側から遮ると立体感が減少し、左右方向の内側から遮るとき立体感が増大する。即ち、左右の光軸の中間を中心として遮光範囲を拡大して瞳を夫々外側からケルと立体感の上昇が抑えられ、左右光軸の中間を中心に縮小して行く瞳の内側をケルと立体感の低下が抑えられる。
【０００８】
本発明は、この考え方を利用して立体感の調整を行うようにしたもので、図１乃至３を参照して、その構成を説明する。図１において、１は左右共通の対物レンズ、２は遮光部材、３は対物レンズと同軸で内部に少なくとも一つの結像点Ｉを有する変倍リレー光学系、４Ｌ，４Ｒは変倍リレー光学系の出射側に配置された左右観察用の開口絞り、５Ｌ，５Ｒは各開口絞り４Ｌ，４Ｒと同軸で両眼で立体的に観察できるように像を結像し且つ像の向きを合わせるのに用いられる左右の結像光学系、６Ｌ，６Ｒは結像光学系５Ｌ，５Ｒで形成された像を夫々拡大する左右の接眼レンズである。尚、開口絞り４Ｌ，４Ｒは、結像光学系５Ｌ，５Ｒの内部に夫々設置されてもよく、又、結像光学系を構成するレンズのレンズ枠をもって代用されてもよい。又、この結像光学系には、立体感が逆になるのを防ぐため、左右の光束中に入れ替え用のプリズムやミラー等で構成される反射光学系が含まれている。
【０００９】
光学系を上記のように構成すると、立体感は変倍系の倍率に比例して増大する。立体感が最大になる変倍系３の開口絞り４Ｌ，４Ｒの像を変倍系３より物体側に形成させ、遮光部材２はその像位置付近に変倍系３と同軸に設置される。この遮光部材２は、変倍系３の最高倍率位置で入射瞳の外側をケル絞り（以下、立体感減少絞りという）２ａ、又は変倍系３の最低倍率位置で入射瞳の内側をケル中心遮光部材（以下、立体感向上絞りという）２ｂである。立体感減少絞りにより入射瞳がケラレ始めた後は立体感の上昇は抑えられ、立体感向上絞りにより入射瞳がケラレ始めた後は立体感の減少が抑えられる。特に入射瞳の面積を３０％以上遮ると、その効果は大きい。又、変倍光学系の内部に焦点調整機能をもたせた場合は、対物レンズ１は不要となり、遮光部材２が変倍系３の前にあるだけの構成となる。又、ワーキングディスタンス（ＷＤ）を変えることのできる対物レンズは、変倍光学系と見做すことができる。
【００１０】
ところで、この光学系は全長が長くなるので、図２に示すように四面以上の反射面を用いて物体面から観察者の目の位置までの距離を短くすることにより、作業性の良い顕微鏡となる。又、写真やテレビ等の撮影光学系やオートフォーカスの検出系や複数の観察者のための光路分割などのために、反射面を利用すると好都合である。この場合、分割光学系がある部分には、アフォーカル光束を提供するようにした方がよい。そのため、変倍光学系は、変倍光学系３ａと結像リレー光学系３ｂとに分けられ、対物レンズ１，変倍光学系３ａ，結像リレー光学系３ｂ及び結像光学系５Ｌ，５Ｒを含む部分がアフォーカル系となるように構成されている。
【００１１】
又、結像光学系は、観察範囲と撮像範囲を略同一にするため、変倍光学系３ａより像側に分割プリズム１７を含んでいる。又、複数観察者の瞳位置のずれは小さい方がよいので、光路の分割は、結像リレー光学系３ｂと結像光学系５Ｌ，５Ｒの間で行うのが好ましい。又、赤外光照射によるアクティブ式のオートフォーカスを行う場合には、赤外光と可視光とでは波長が異なりレンズの焦点距離が変わるので、レンズ系を通さない方がよい。そのため、光路の分割は、対物レンズ１の前か、或いは対物レンズ１と変倍光学系３ａの間で行われるのがよい。対物レンズ１と変倍光学系３ａとの間で光路分割を行う場合は、赤外光透過で可視光反射の特性の良い分割素子を作るのが難しいので、可視光透過で赤外光反射の分割素子１６を設置するのがよい。
【００１２】
更に、この光学系では、複数人が同一の立体感で観察方向を自由に変えられるので、より複雑な作業を楽な姿勢で行うことができる。図３は、複数人での観察が行える装置の一例を示している。この例は、分割プリズム７の透過側に主観察者が、分割プリズム７の反射側に副観察者が夫々位置するようにプリズム系が構成されている。即ち、主観察者側には、主側プリズム８を通して主側開口絞り９Ｌ，９Ｒと主側結像光学系１０Ｌ，１０Ｒが設けられている。この主側結像光学系１０Ｌ，１０Ｒは、主観察者の姿勢を楽にするため、左右光軸の中間点を軸として回転可能である。この場合、主観察者は鏡体を操作する関係で、回転角は６０゜程度で十分である。
【００１３】
又、副観察者側は、分割プリズム７の反射側に設けられた、副側プリズム１０，１１と、副側回転プリズム１２と、副側開口絞り１３Ｌ，１３Ｒと、副側結像光学系１４Ｌ，１４Ｒと、図示しない副側接眼レンズとからなる。そして、分割プリズム７から副観察者に至るまでの間の光学系全体を、分割プリズム７を透過する主側の光軸の周りに回転できるようにする。この場合、副側は主側が回転しても動かないように構成されている。又、副側のプリズム１１の出射光軸を回転軸として副側プリズム１１より後方の光学系全体が回転できるようにも構成されている。さらに、副側プリズム１２の出射光軸を回転軸として、副側開口絞り１３Ｌ，１３Ｒ以降の光学系が回転できるようになっている。このように、副側が三軸の周りに回転できるようになっていると、主観察者がどのように鏡体を傾けても、副観察者に無理な観察姿勢を強いることはない。
【００１４】
このように複数の観察者が観察できるようにした場合、変倍光学系から開口絞りまでの光路長を総て同一にすることはできない。この光学系で瞳位置がずれた場合、それは像面の左右方向の明るさの差として現れる。立体感調整絞りによって像がケラレない限り使用することはできるが、疲労が少なく良好な立体感が得られるためには、左右方向で最も暗い部分と最も明るい部分との比が１：３以内であることが必要である。従って、立体感調整絞りによりケラレる像面の明るさの差が１／３以内になるように、各観察者の開口絞りが設置される。
【００１５】
又、主観察者と副観察者との間で同一の物体を見ながら、役割により観察できる範囲を変えたいという要望があるが、この要望は、結像光学系に倍率を変えるレンズ系を挿入して、倍率を切り換えることにより達成することができる。又、主観察者側と副観察者側では開口絞りの位置が異なるので、共通の結像光学系を用いて観察像位置を変えないようにするためアフォーカル光束にする必要があるが、これは、結像光学系の前にアフォーカル変倍レンズ１５Ｌ，１５Ｒを挿入できるようにすることにより、達成される。このように構成すれば、アフォーカル変倍レンズの挿脱に関わらず、焦点位置を変えずに倍率を変えることが可能となる。又、この光学系には多数のプリズムが挿入されているため、その製作誤差により像心が偏心するが、この偏心は、アフォーカル変倍レンズ１５Ｌ，１５Ｒのレンズの一部を光軸に垂直な方向に振ることにより補正することができる。
【００１６】
第１実施例
図４は本実施例の光学系の断面図であって、（ａ）は０．４２倍時の、（ｂ）は０．４８倍時の、（ｃ）は１．６８倍時の状態を夫々示している。図５（ａ），（ｂ）及び（ｃ）は本実施例における０．４２倍時，０．４８倍時及び１．６８倍時の球面収差特性を夫々示す図、図６（ａ），（ｂ）及び（ｃ）は本実施例における０．４２倍時，０．４８倍時及び１．６８倍時の非点収差特性を夫々示す図、図７（ａ），（ｂ）及び（ｃ）は本実施例における０．４２倍時，０．４８倍時及び１．６８倍時の歪曲収差特性を夫々示す図である。
【００１７】
0003645655.tif 000002
0003645655.tif 000003
【００１９】
0003645655.tif 000004
0003645655.tif 000005
【００２１】
倍率        Ｄ１        Ｄ２        Ｄ３        内向角
0.42         6          28.66       45.83       3 ゜
0.84        47.08       21.12       12.29       6 ゜
1.68        67.64        6.01        6.84       9.9 ゜
A=21  、 a=5  、  100<L<200 、 f=168  、 D=10.5   、  FN=19
一般に立体感は、内向角が１゜以上１０゜以下であれば、良好である。立体感調整絞りがない場合、最高倍率で内向角が１２゜となり、観察し易い顕微鏡を構成することができた。
【００２２】
第２実施例
図８は本実施例の光学系の断面図であって、（ａ）は０．４２倍時の、（ｂ）は０．８４倍時の、（ｃ）は１．６８倍時の状態を夫々示している。図９（ａ），（ｂ）及び（ｃ）は本実施例における０．４２倍時，０．４８倍時及び１．６８倍時の球面収差特性を夫々示す図、図１０（ａ），（ｂ）及び（ｃ）は本実施例における０．４２倍時，０．４８倍時及び１．６８倍時の非点収差特性を夫々示す図、図１１（ａ），（ｂ）及び（ｃ）は本実施例における０．４２倍時，０．４８倍時及び１．６８倍時の歪曲収差特性を夫々示す図である。
【００２３】
0003645655.tif 000006
【００２４】
0003645655.tif 000007
0003645655.tif 000008
0003645655.tif 000009
【００２７】
倍率        Ｄ１        Ｄ２        Ｄ３        内向角
0.42         6          31.8        46.5        3 ゜
0.84        48.3        23.2        12.8        6 ゜
0.68        69.5         6           8.8        9.9 ゜
A=21  、 a=5  、  100<L<200 、 f=168  、 D=10.5   、  FN=19
本実施例は、第１実施例の対物レンズと変倍系の間に光分割プリズムを挿入することができるように間隔をあけ、且つ像面湾曲を改善したものである。
【００２８】
第３実施例
図１２は本実施例の光学系の断面図であって、（ａ）はワーキングディスタンス（ＷＤ）＝２００で０．４５倍時の、（ｂ）はＷＤ＝２００で０．９倍時の、（ｃ）はＷＤ＝２００で１．８倍時の、（ｄ）はＷＤ＝３００で０．３倍時の、（ｅ）はＷＤ＝３００で０．６倍時の、（ｆ）はＷＤ＝３００で１．２倍時の、（ｇ）はＷＤ＝４００で０．２３倍時の、（ｈ）はＷＤ＝４００で０．４５倍時の、（ｉ）はＷＤ＝４００で０．９倍時の状態を夫々示している。図１３（ａ），（ｂ）及び（ｃ）は本実施例におけるＷＤ＝２００での０．４５倍時，０．９倍時及び１．８倍時の、（ｄ），（ｅ）及び（ｆ）はＷＤ＝３００での０．３倍時，０．６倍時及び１．２倍時の、（ｇ），（ｈ）及び（ｉ）はＷＤ＝４００での０．２３倍時，０．４５倍時及び０．９倍時の、球面収差特性を夫々示す図である。
【００２９】
図１４（ａ），（ｂ）及び（ｃ）は本実施例におけるＷＤ＝２００での０．４５倍時，０．９倍時及び１．８倍時の、（ｄ），（ｅ）及び（ｆ）はＷＤ＝３００での０．３倍時，０．６倍時及び１．２倍時の、（ｇ），（ｈ）及び（ｉ）はＷＤ＝４００での０．２３倍，０．４５倍時及び０．９倍時の、非点収差特性を夫々示す図である。図１５（ａ），（ｂ）及び（ｃ）は本実施例におけるＷＤ＝２００での０．４５倍時，０．９倍時及び１．８倍時の、（ｄ），（ｅ）及び（ｆ）はＷＤ＝３００での０．３倍時，０．６倍時及び１．２倍時の、（ｇ），（ｈ）及び（ｉ）はＷＤ＝４００での０．２３倍時，０．４５倍時及び０．９倍時の、歪曲収差特性を夫々示す図である。
【００３０】
0003645655.tif 000010
【００３１】
0003645655.tif 000011
【００３２】
0003645655.tif 000012
【００３３】
0003645655.tif 000013
0003645655.tif 000014
【００３５】
ＷＤ    倍率    Ｄ１    Ｄ２    Ｄ３    Ｄ４    Ｄ５    Ｄ６    内向角
200     0.45    285.3   28.1     9       6      28.8    48.8    2.6 ゜
200     0.9     285.3   28.1     9      48.3    21.2    13.6    5.2 ゜
200     1.8     285.3   28.1     9      69.4     6       7.6    8.4 ゜
300     0.3     386.1   13.7    23.4     6      28.8    48.3    1.7 ゜
300     0.6     386.1   13.7    23.4    48.3    21.2    13.6    3.4 ゜
300     1.2     386.1   13.7    23.4    69.4     6       7.6    5.6 ゜
400     0.23    486.8    6.5    30.6     6      28.8    48.3    1.3 ゜
400     0.45    486.8    6.5    30.6    48.3    21.2    13.6    2.6 ゜
400     0.9     486.8    6.5    30.6    69.4     6       7.6    4.2 ゜
A=21  、 a=5  、  100<L<200 、 f=210  、 D=10.5   、  FN=22
【００３６】
又、結像レンズとして次のレンズ系が使用された。
0003645655.tif 000015
【００３７】
本実施例は、ＷＤを２００から４００に変えても立体感が良好に保持され、良好な像が得られた。
【００３８】
又、アフォーカル変倍系１５Ｌ，１５Ｒの１倍と１．５倍の場合の数値データは次の通りである。
１×の場合
0003645655.tif 000016
【００３９】
0003645655.tif 000017
【００４０】
上記各実施例において、ｒ1 ，ｒ2 ，ｒ3 ，・・・・はレンズ各面の曲率半径、ｄ1 ，ｄ2 ，ｄ3 ，・・・・は各レンズの肉厚及び空気間隔、ｎ1 ，ｎ2 ，ｎ3 ，・・・・は各レンズの屈折率、ν1 ，ν2 ，ν3 ，・・・・は各レンズのアツベ数、Ａは立体感調整絞りの径、ａは開口絞りの径、Ｌは変倍系の最も像側にある面から開口絞りの中心までの距離（偏心量）、ＦＮは視野数である。
【００４１】
以上説明したように、本発明による実体顕微鏡は、特許請求の範囲に記載した特徴のほかに、下記のような特徴も有している。
【００４２】
（１）前記遮光部材により瞳の面積が３０％以上減らされる倍率がある、ことを特徴とする請求項１又は２に記載の実体顕微鏡。
【００４３】
（２）前記変倍光学系から射出した光束を分割して複数の観察者によって観察することができるようにし、各観察像が前記各開口絞りによりケラレることがないようにしたことを特徴とする請求項１，２又は上記（１）に記載の実体顕微鏡。
【００４４】
（３）各観察像の左右方向の明るさの最小と最大の比が１：４以内であることを特徴とする上記（２）に記載の実体顕微鏡。
【００４５】
（４）入射光軸と前記変倍光学系の射出光軸とを近付けるため４回以上の反射面を設けたことを特徴とする請求項１，２又は上記（１）乃至（３）の何れかに記載の実体顕微鏡。
【００４６】
（５）前記変倍光学系がアフォーカル光学系であることを特徴とする、上記（４）に記載の実体顕微鏡。
【００４７】
（６）前記変倍光学系が、アフォーカル変倍光学系と一回結像のアフォーカル光学系とで構成されていることを特徴とする上記（４）に記載の実体顕微鏡。
【００４８】
（７）アフォーカル部分で光束を分割するように配置された光分割素子を含んでいることを特徴とする上記（６）に記載の実体顕微鏡。
【００４９】
（８）前記各結像レンズの入射側にアフォーカル変倍光学系を夫々配置したことを特徴とする請求項１，２又は上記（１）乃至（７）の何れかに記載の実体顕微鏡。
【００５０】
【発明の効果】
上述の如く本発明によれば、変倍光学系以外に移動する部分がなく、変倍時に立体感の変化を適切な範囲に抑えることのできる、左右共通の変倍光学系を有する実体顕微鏡を提供することができる。
【図面の簡単な説明】
【図１】本発明に係る実体顕微鏡の光学系の基本構成を示す図である。
【図２】図１に示す光学系において全長を短くするための対物レンズと変倍リレー光学系部分の具体的構成を示す斜視図である。
【図３】複数人での観察が行えるように構成した本発明に係る実体顕微鏡の光学系の一構成例を示す図である。
【図４】本発明の第１実施例である光学系の断面図で、（ａ）は０．４２倍時の、（ｂ）は０．４８倍時の、（ｃ）は１．６８倍時の状態を夫々示す。
【図５】（ａ），（ｂ）及び（ｃ）は、第１実施例における０．４２倍時，０．４８倍時及び１．６８倍時の球面収差特性を夫々示す図である。
【図６】（ａ），（ｂ）及び（ｃ）は、第１実施例における０．４２倍時，０．４８倍時及び１．６８倍時の非点収差特性を夫々示す図である。
【図７】（ａ），（ｂ）及び（ｃ）は、第１実施例における０．４２倍時，０．４８倍時及び１．６８倍時の歪曲収差特性を夫々示す図である。
【図８】本発明の第２実施例である光学系の断面図で、（ａ）は０．４２倍時の、（ｂ）は０．８４倍時の、（ｃ）は１．６８倍時の状態を夫々示す。
【図９】（ａ），（ｂ）及び（ｃ）は、第２実施例における０．４２倍時，０．４８倍時及び１．６８倍時の球面収差特性を夫々示す図である。
【図１０】（ａ），（ｂ）及び（ｃ）は、第２実施例における０．４２倍時，０．４８倍時及び１．６８倍時の非点収差特性を夫々示す図である。
【図１１】（ａ），（ｂ）及び（ｃ）は、第２実施例における０．４２倍時，０．４８倍時及び１．６８倍時の歪曲収差特性を夫々示す図である。
【図１２】本発明の第３実施例である光学系の断面図で、（ａ）はＷＤ＝２００で０．４５倍時の、（ｂ）はＷＤ＝２００で０．９倍時の、（ｃ）はＷＤ＝２００で１．８倍時の、（ｄ）はＷＤ＝３００で０．３倍時の、（ｅ）はＷＤ＝３００で０．６倍時の、（ｆ）はＷＤ＝３００で１．２倍時の、（ｇ）はＷＤ＝４００で０．２３倍時の、（ｈ）はＷＤ＝４００で０．４５倍時の、（ｉ）はＷＤ＝４００で０．９倍時の状態を夫々示す図である。
【図１３】（ａ），（ｂ）及び（ｃ）は、第３実施例におけるＷＤ＝２００での０．４５倍時の，０．９倍時及び１．８倍時の、（ｄ），（ｅ）及び（ｆ）はＷＤ＝３００での０．３倍時，０．６倍時及び１．２倍時の、（ｇ），（ｈ）及び（ｉ）はＷＤ＝４００での０．２３倍時，０．４５倍時及び０．９倍時の、球面収差特性を夫々示す図である。
【図１４】（ａ），（ｂ）及び（ｃ）は、第３実施例におけるＷＤ＝２００での０．４５倍時，０．９倍時及び１．８倍時の、（ｄ），（ｅ）及び（ｆ）はＷＤ＝３００での０．３倍時，０．６倍時及び１．２倍時の、（ｇ），（ｈ）及び（ｉ）はＷＤ＝４００での０．２３倍時，０．４５倍時及び０．９倍時の、非点収差特性を夫々示す図である。
【図１５】（ａ），（ｂ）及び（ｃ）は、第３実施例におけるＷＤ＝２００での０．４５倍時，０．９倍時及び１．８倍時の、（ｄ），（ｅ）及び（ｆ）はＷＤ＝３００での０．３倍時，０．６倍時及び１．２倍時の、（ｇ），（ｈ）及び（ｉ）はＷＤ＝４００での０．２３倍時，０．４５倍時及び０．９倍時の歪曲収差特性を夫々示す図である。
【符号の説明】
１                対物レンズ
２                遮光部材
３                変倍リレー光学系
３ａ              変倍光学系
３ｂ              結像リレー光学系
４Ｌ，４Ｒ        左右観察用の開口絞り
５Ｌ，５Ｒ        左右の結像光学系
６Ｌ，６Ｒ        左右の接眼レンズ
７，１６，１７    分割プリズム
８                主側プリズム
９Ｌ，９Ｒ        主側開口絞り
１０，１１        副側プリズム
１０Ｌ，１０Ｒ    主側結像光学系
１２              副側回転プリズム
１３Ｌ，１３Ｒ    副側開口絞り
１４Ｌ，１４Ｒ    副側結像光学系
１５Ｌ，１５Ｒ    アフォーカル変倍レンズ
Ｉ                結像点
【図１】
0003645655.tif 000018
【図２】
0003645655.tif 000019
【図３】
0003645655.tif 000020
【図４】
0003645655.tif 000021
【図５】
0003645655.tif 000022
【図６】
0003645655.tif 000023
【図７】
0003645655.tif 000024
【図８】
0003645655.tif 000025
【図９】
0003645655.tif 000026
【図１０】
0003645655.tif 000027
【図１１】
0003645655.tif 000028
【図１２】
0003645655.tif 000029
【図１３】
0003645655.tif 000030
【図１４】
0003645655.tif 000031
【図１５】
0003645655.tif 000032